(57)【特許請求の範囲】
【請求項１】
車両内に固定される中空なケースと、
このケース内にスライド可能に収納されるホルダー本体とを備え、
上記ホルダー本体は、
前記ケースにスライド可能に保持され、カップの底が載る載置部を有するスライダーと、
このスライダーに展開可能に支持され、下方に向かって二つ折りに折畳まれた状態で、前記スライダーとともに前記ケース内に収納され、前記スライダーとともに前記ケース外に突出した状態で、上方に向かって展開し、上方より前記スライダーの前記載置部に向かって前記カップを差込可能なカップ挿入口を形成する左右一対のホルダー半部と、
前記両ホルダー半部を展開状態に向かって付勢するコイルスプリングと、
前記スライダーを前記ケース内に押し込む際に、前記コイルスプリングの付勢力に抗して前記両ホルダー半部を二つ折りに折り畳む折畳み装置とを備える車両用カップホルダーにおいて、
上記折畳み装置には、
一端部が前記スライダーに上下方向に回転可能に軸止され、他端の自由端部が前記両ホルダー半部の展開軸を挟んでその左右両側にそれぞれ当接し、前記ケース内に押し込まれる際に、前記コイルスプリングの付勢力に抗して、前記両ホルダー半部を下方に向かってそれぞれ押圧し、前記両ホルダー半部を二つ折りに折り畳むカム片を備えていることを特徴とする車両用カップホルダー。
【請求項２】
折畳み装置には、
カム片からケースに向かって突出したトレースピンと、
前記ケースに設けられ、前記トレースピンがはまり込むカム溝と、
前記カム溝に設けられ、両ホルダー半部が前記スライダーとともに前記ケース内に収納される際に、前記カム片を下方に回転させる屈曲部とを備えていることを特徴とする請求項１記載の車両用カップホルダー。
【請求項３】
ケース内には、
スライダーを前記ケース内から突き出す突出装置を設けていることを特徴とする請求項１又は請求項２記載の車両用カップホルダー。
【請求項４】
ケース内とスライダーとの間には、
前記スライダーを前記ケース内の収納位置にロックする解除可能なロック装置を設けていることを特徴とする請求項１〜３のいずれか１項に記載の車両用カップホルダー。
【請求項５】
スライダーには、
展開状態の両ホルダー半部の間に形成されるカップ挿入口に挿入されたカップに弾性的に当接するカップ押さえ装置を設けていることを特徴とする請求項１〜４のいずれか１項に記載の車両用カップホルダー。
【発明の詳細な説明】
【０００１】
【発明の属する技術分野】
この発明は、車両用カップホルダーに関し、特にスライダーのスライドに伴ってホルダー本体が展開したり、二つ折りに折り畳まれるようにしたものである。
【０００２】
【従来の技術】
従来、この種の車両用カップホルダーとしては、車両内に固定される中空なケースと、このケース内にスライド可能に収納されるリング状のホルダー本体とを備えたものが知られている（特開平６−１８３２９５号公報、米国特許第２，７７８，７０２号）。
【０００３】
上記従来のホルダー本体は、前記ケースにスライド可能に保持され、カップの底が載る載置部を有するスライダーと、このスライダーに展開可能に支持され、下方に向かって二つ折りに折畳まれた状態で、スライダーとともにケース内に収納され、スライダーとともにケース外に突出した状態で、上方に向かって展開し、上方よりスライダーの載置部に向かってカップを差込可能なカップ挿入口を形成する左右一対のＣ字形のホルダー半部と、両ホルダー半部を展開状態に向かって付勢するコイルスプリングとを備えていた。
【０００４】
上記従来のケースの左右の壁部の開口側縁部には、凹状に切り欠かれた左右一対の切欠きが設けられている。
そして、突出状態のホルダー本体をケース内に押し込むと、展開状態に開いた両ホルダー半部の各外周部が、ケースの左右の切欠きにそれぞれ摺接して、コイルスプリングの付勢力に抗して、両ホルダー半部を下方に向かって二つ折りに折畳む方向に回転させる。
【０００５】
このため、ホルダー本体をケース内に押し込む際に、両ホルダー半部が二つ折りに折畳まれてケース内に収納される。
【０００６】
【発明が解決しようとする課題】
しかし、上記した従来のカップホルダーでは、ホルダー本体をケース内に押し込む際に比較的大きな力を要するという問題点があった。
すなわち、従来のカップホルダーでは、ケースの左右の切欠きに、両ホルダー半部の各外周部をそれぞれ摺接されて、両ホルダー半部を下方に向かって二つ折りに折畳んでいた。
【０００７】
このため、ケースの左右の切欠きと両ホルダー半部の各外周部とが、ホルダー本体の押し込み方向に等しく、又、両ホルダー半部の回転方向と相違するため、ホルダー本体を押し込む力が増加してしまうという欠点があった。
（請求項１）
そこで、請求項１記載の発明は、上記した従来の技術の有する問題点に鑑みてなされたものであり、その目的とするところは、次の点にある。
【０００８】
すなわち、請求項１記載の発明は、両ホルダー半部をそれぞれの各回転方向に等しい方向から押圧することで、ホルダー本体をケース内に押し込む際の力が比較的増加しないようにしたものである。
（請求項２）
請求項２記載の発明は、上記した請求項１記載の発明の目的に加え、次の点を目的とする。
【０００９】
すなわち、請求項２記載の発明は、カム片をカム機能により回転させることで、ホルダー本体の押込力を一層、軽減でき、しかも両ホルダー半部を確実に折り畳むことができるようにしたものである。
（請求項３）
請求項３記載の発明は、上記した請求項１又は請求項２記載の発明の目的に加え、次の点を目的とする。
【００１０】
すなわち、請求項３記載の発明は、ホルダー本体をケース内から突き出すようにすることで、ホルダー本体を引き出し易くしたものである。
（請求項４）
請求項４記載の発明は、上記した請求項１〜３のいずれか１項に記載の発明の目的に加え、次の点を目的とする。
【００１１】
すなわち、請求項４記載の発明は、ホルダー本体をケース内にロックし、不用意にホルダー本体がケースの外部に突出しないようにしたものである。
（請求項５）
請求項５記載の発明は、上記した請求項１〜４のいずれか１項に記載の発明の目的に加え、次の点を目的とする。
【００１２】
すなわち、請求項５記載の発明は、カップのがた付きを防止できるようにしたものである。
【００１３】
【課題を解決するための手段】
各請求項にそれぞれ記載された各発明は、上記した各目的を達成するためになされたものであり、各発明の特徴点を図面に示した発明の実施の形態を用いて、以下に説明する。
（請求項１）
請求項１記載の発明は、次の点を特徴とする。
【００１４】
すなわち、折畳み装置(50)には、例えば図２に示すように、カム片(51)を備えている。
上記カム片(51)は、一端部がスライダー(80)に上下方向に回転可能に軸止され、他端の自由端が両ホルダー半部(90,100)の展開軸（例えば突軸29、軸ピン120）を挟んでその左右両側にそれぞれ当接し、ケース(30)内に押し込まれる際に、コイルスプリング(130)の付勢力に抗して、両ホルダー半部(90,100)を下方に向かってそれぞれ押圧し、例えば図３に示すように、両ホルダー半部(90,100)を二つ折りに折り畳むものである。
（請求項２）
請求項２記載の発明は、上記した請求項１記載の発明の特徴点に加え、次の点を特徴とする。
【００１５】
すなわち、折畳み装置(50)は、例えば図２に示すように、トレースピン(53)と、カム溝(32)と、屈曲部分(37)とを備えている。
上記トレースピン(53)は、カム片(51)からケース(30)に向かって突出している。
前記カム溝(32)は、ケース(30)に設けられ、トレースピン(53)がはまり込むものである。
【００１６】
前記屈曲部分(37)は、カム溝(32)に設けられ、両ホルダー半部(90,100)がスライダー(80)とともにケース(30)内に収納される際に、カム片(51)を下方に回転させるものである。
（請求項３）
請求項３記載の発明は、上記した請求項１又は請求項２記載の発明の特徴点に加え、次の点を特徴とする。
【００１７】
すなわち、ケース(30)内には、例えば図２に示すように、スライダー(80)をケース(30)内から突き出す突出装置(60)を設けている。
（請求項４）
請求項４記載の発明は、上記した請求項１〜３のいずれか１項に記載の発明の特徴点に加え、次の点を特徴とする。
【００１８】
すなわち、ケース(30)内とスライダー(80)との間には、例えば図２に示すように、スライダー(80)をケース(30)内の収納位置にロックする解除可能なロック装置(70)を設けている。
（請求項５）
請求項５記載の発明は、上記した請求項１〜４のいずれか１項に記載の発明の特徴点に加え、次の点を特徴とする。
【００１９】
すなわち、スライダー(80)には、例えば図９に示すように、展開状態の両ホルダー半部(90,100)の間に形成されるカップ挿入口(41)に挿入されたカップ(20,21)に弾性的に当接するカップ押さえ装置(140)を設けている。
【００２０】
【発明の実施の形態】
（図面の説明）
図１〜１１は、本発明の実施の形態の一例を示すものである。
図１は、カップホルダー（引出状態）の斜視図、図２はカップホルダーの分解斜視図をそれぞれ示す。
【００２１】
図３〜５は、ホルダー本体がケース内に収納された状態を示し、図３はケースを透過したカップホルダーの斜視図、図４はカップホルダーの縦断面図、図５はカップホルダーの横断面図をそれぞれ示す。
図６，７は、カム片の動作を説明するための説明図を示し、図６は両ホルダー半部を折り畳む際の説明図、図７は両ホルダー半部が展開状態に開く際の説明図をそれぞれ示す。
【００２２】
図８は、突出装置によりホルダー本体がケースが突き出された状態を説明するカップホルダーの縦断面図を示す。
図９〜１１は、ホルダー本体がケース内に引き出された状態を示し、図９はカップホルダーの縦断面図、図１０はカップホルダーの平面図、図１１はカップホルダーの正面図をそれぞれ示す。
（カップホルダー）
図中、10は、カップホルダーを示すものであり、このカップホルダー10は、図示しないが、車内のフロントパネル等に埋設状に固定され、図９，１１に示すように、手前に引き出して使用する。そして、引き出したカップホルダー10には、図９，１１に示すように、飲料水等のカップ類、缶類、紙パック類、小型のペットボトル類等のカップ20,21を挿入し、カップ20,21が倒れないように保持できる。
【００２３】
上記カップホルダー10は、図２に示すように、大別すると、車室内に固定される中空なケース30と、このケース30内にスライド可能に収納されるホルダー本体40とを備えている。
上記ケース30とホルダー本体40との間には、図２に示すように、ホルダー本体40をケース30内に押し込む際に、ホルダー本体40を二つ折りに折り畳む折畳み装置50と、ホルダー本体40をケース30内から突き出す突出装置60と、この突出装置40の突出力に抗して、ホルダー本体40をケース30内の収納位置にロックする解除可能なロック装置70とを備えている。
（ケース）
前記ケース30は、図２に示すように、中空なケース状で、その前面には、縦長の長方形状に開口し、ホルダー本体40が出入りする出入口31を備えている。そして、ケース30は、比較的剛性の高い熱可塑性のプラスチック、例えばＡＢＳにより一体成形されている。
【００２４】
そして、ケース30は、図示しないが、その出入口31を車室内のフロントパネル等に臨ませ、埋設状に固定される。
前記ケース30の左右の側壁には、図２に示すように、側壁を表裏方向に貫通するとともに、ホルダー本体40のスライド方向に沿って長く延び、上下方向に離れた計４本の左右一対の溝32〜35がそれぞれ設けられている。
【００２５】
上段の溝は、カム溝32であり、このカム溝32は、図２に示すように、略Ｊ字形に屈曲し、後述するが、ホルダー本体40を二つ折りに折り畳む折畳み装置30の一部を構成する。そして、カム溝32は、ホルダー本体40のスライド方向に沿って延びた直線部分36と、この直線部分36に連続し、ケース30の出入口31側に位置し、上方に向かって略Ｊ字形に屈曲した屈曲部分37とを備えている。
【００２６】
中上段の溝は、ガイド溝33であり、このガイド溝33は、図２に示すように、ホルダー本体40のスライド方向に沿って直線的に延びている。
中下段の溝は、補助溝34であり、この補助溝34は、図２に示すように、ホルダー本体40のスライド方向に沿って直線的に延びている。そして、補助溝34のケース30の出入口31側には、少し離れた位置に円形の貫通孔38が設けられている。
【００２７】
下段の溝は、スライド溝35であり、このスライド溝35は、図２に示すように、ホルダー本体40のスライド方向に沿って直線的に延びている。
（ホルダー本体）
前記ホルダー本体40は、図２に示すように、ケース30にスライド可能に保持され、カップ20,21の底が載る載置部81を有するスライダー80と、このスライダー80に展開可能に支持され、下方に向かって二つ折りに折畳まれた状態で、前記スライダー80とともにケース30内に収納され、前記スライダー80とともにケース30外に突出した状態で、上方に向かって展開し、上方よりスライダー80の載置部81に向かってカップ20,21を差込可能なカップ挿入口41を形成する左右一対のホルダー半部90,100とを備えている。
（スライダー）
前記スライダー80は、図２に示すように、コ字形を成し、ケース30の出入口31を塞ぐ前部82と、この前部82に連続し、凹状に凹み、カップ20,21の底が載る載置部81を有する中間部83と、この中間部83に連続した後部84とを備えている。そして、スライダー80は、ケース30と同様に、比較的剛性の高い熱可塑性のプラスチック、例えばＡＢＳにより一体成形されている。
【００２８】
上記前部82には、図２に示すように、カバー110が固定されている。前記カバー110は、スライダー80と同様に、比較的剛性の高い熱可塑性のプラスチック、例えばＡＢＳにより一体成形されている。
前記後部84には、図２に示すように、その左右両側面から突出し、前後に離れて位置する複数、本実施例では前後２個のガイドピン85・・・をそれぞれ設けている。前記ガイドドピン85は、図１に示すように、ケース30の左右の側壁の各ガイド溝33にそれぞれはまり込み、スライド時のスライダー80のがた付きや揺れを防止している。
【００２９】
また、上記ガイドドピン85の下側には、図２に示すように、後部84の左右両側面から半円球形に突出した左右一対の突出ピン86をそれぞれ設けている。前記各突出ピン86は、図１に示すように、ケース30の左右の側壁の各補助溝34及び貫通孔38にそれぞれはまり込む。そして、各突出ピン86は、スライダー80の手前に引き出した際に、補助溝34からケース30内に一旦引っ込み、スライダー80の最大引き出し位置で、貫通孔38内にはまり込むことで、操作者にクリック感を与えるものである。
【００３０】
また、突出ピン86の下側には、図２に示すように、後部84の左右両側面から突出し、前後に離れて位置する複数、本実施例では前後２個のスライドピン87・・・をそれぞれ設けている。前記スライドドピン87は、図１に示すように、ケース30の左右の側壁の各スライド溝35にそれぞれはまり込み、スライドピン87がスライド溝33に沿って移動することで、スライド時のスライダー80のがた付きや揺れを防止している。
（ホルダー半部）
前記両ホルダー半部90,100は、図２に示すように、略Ｃ字形にそれぞれ形成され、比較的剛性の高い熱可塑性のプラスチック、例えばＰＯＭによりそれぞれ一体成形されている。
【００３１】
両ホルダー半部90,100の一方、すなわち図２では向かって左側に位置するホルダー半部90の手前側の端部には、手前側に突出した突軸91を設けている。また、他方、すなわち右側に位置するホルダー半部100の手前側の端部には、前記突軸91がはまり込む軸穴101を設けている。そして、突軸91を軸穴101を通して、スライダー80の前部82に軸止している。
【００３２】
また、両ホルダー半部90,100の奥側の端部は、図２に示すように、軸ピン120を介してスライダー80の後部84に軸止されている。
したがって、両ホルダー半部90,100は、突軸91及び軸ピン120を中心に旋回し、突軸91及び軸ピン120が両ホルダー半部90,100の展開軸となる。
前記軸ピン120には、図２に示すように、コイルスプリング130が通され、このコイルスプリング130が巻き解く力により、両ホルダー半部90,100を図１に示すように、展開状態に開くように付勢している。
【００３３】
そして、両ホルダー半部90,100が展開状態に開いた位置では、両ホルダー半部90,100の対向間隔内には、図１に示すように、カップ20,21を差込可能な円形のカップ挿入口41が形成される。
（折畳み装置）
前記折畳み装置50は、図２に示すように、スライダー80の後部84に軸止されて回転するカム片51を有し、このカム片51は、比較的剛性の高い熱可塑性のプラスチック、例えばＰＯＭによりそれぞれ一体成形されている。
【００３４】
上記カム片51は、図２に示すように、下面が開放した断面コ字形を成し、その左右の側壁の各内側面には、相対向して突出した左右一対の回転軸52,52を設けている。各回転軸52は、スライダー80の後部84に軸止され、両回転軸52を中心にカム片51は揺動する。
また、カム片51の左右の側壁の各外側面には、図２に示すように、互いに背向して突出した左右一対のトレースピン53,53を設けている。
【００３５】
左右のトレースピン53は、ケース30の左右の側壁のカム溝32にそれぞれはまり込む。そして、左右のカム片51が、スライダー80とともにスライドし、その際に左右のトレースピン53が左右のカム溝32に沿って相対的に移動する。
すなわち、スライダー80がケース30内に収納された状態では、左右のトレースピン53は、図３に示すように、左右のカム溝32の直線部分36にそれぞれ位置している。このとき、カム片51は下方に向かって回転し、左右のホルダー半部90,100を下方に向かって押圧する。このため、左右のホルダー半部90,100は、コイルスプリング130の付勢力に抗して、下方に向かって二つ折りに折畳まれた状態を維持する。
【００３６】
これに対し、スライダー80がケース30内から引き出されると、左右のトレースピン53は、図１に示すように、左右のカム溝32の上方に向かって略Ｊ字形に屈曲した屈曲部分37にそれぞれ位置する。このとき、カム片51は、左右の回転軸52を中心に上方に向かって回転し、カム片51が左右のホルダー半部90,100の上方に離隔する。このため、左右のホルダー半部90,100は、コイルスプリング130の付勢力により、上方に向かって展開状態に開く。
【００３７】
つぎに、スライダー80がケース30内に再度、押し込まれると、左右のトレースピン53は、図７，６に示すように、左右のカム溝32の屈曲部分37に沿ってそれぞれ移動し、その際にカム片51が左右の回転軸52を中心に下方に向かって徐々に回転する。このとき、左右のホルダー半部90,100は、コイルスプリング130の付勢力に抗して、カム片51により下方に向かって押圧される。このため、左右のホルダー半部90,100は、図３に示すように、コイルスプリング130の付勢力に抗して、下方に向かって二つ折りに折畳まれたながらケース30内に収納される。
（突出装置）
前記突出装置60は、図２に示すように、スライダー80の後部にスライド可能に支持され、ケース30の奥側の後壁に向かって突出する突出片61と、この突出片61を突出させる突出ばね62とを備える。
【００３８】
すなわち、スライダー80がケース30内に収納された状態では、図４に示すように、突出片61がケース30の奥側の後壁に押されて、スライダー80の内部に収納され、突出ばね62はスライダー80と突出片61との間で圧縮されている。このとき、スライダー80は、突出ばね62の圧縮復元力に抗して、後述するロック装置70により、ケース30内の収納状態にロックされている、
そして、ロック装置70のロック状態が解除されると、図８に示すように、突出ばね62の圧縮復元力により、突出片61がケース30の奥側の後壁に向かって突出する。このため、突出片61がケース30の奥側の後壁を押し返す力で、図８に示すように、スライダー80がケース30の出入口31から少し飛び出す。
【００３９】
なお、図面に示した実施例では、突出装置60により、スライダー80の一部がケース30の出入口31から飛び出すようにしたが、これに限らず、スライダー80全体がケース30から少し飛び出すようにしても良い。
（ロック装置）
前記ロック装置70は、図２に示すように、スライダー80の前部82にスライド可能に支持され、カバー110を介して突出する押しボタン71と、この押しボタン71の下面から下方に向かって突出し、押しボタン71を押すことで上昇するロック片72と、ケース30の底壁に位置し、前記ロック片72がはまり込むロック穴39とを備える。
【００４０】
そして、ロック片72がロック穴39にはまり込んだ状態では、図４に示すように、スライダー80がケース30内に収納された収納状態を維持する。
これに対し、押しボタン71を押すと、ロック片72が上昇し、ロック穴39から係脱する。このため、スライダー80が、図８に示すように、上述した突出装置60の働きにより、ケース30の出入口31から少し飛び出す。
【００４１】
その後、ホルダー本体40が、図９に示すように、ケース30から引き出されると、図示しないが、押しボタン71の内部のスプリングの作用により、ロック片72が再度、突出する。
一方、スライダー80がケース30内に再度、押し込まれると、ロック片72がケース30の底壁に押されて、一旦引っ込んだ後、図示しないが、押しボタン71の内部のスプリングの作用により、ロック片72が再度、突出し、図４に示すように、ケース30の底壁のロック穴39にはまり込む。
（カップ押さえ装置）
前記スライダー80の前部82には、図２に示すように、カップ押さえ装置140が設けられている。
【００４２】
上記カップ押さえ装置140は、図２に示すように、一端部がスライダー80の前部82に回転可能に支持され、他端の自由端部が展開状態の左右のホルダー半部90,100の間隔内に形成されるカップ挿入口41内に挿入されたカップ20,21に当接するカップ押さえ141と、このカップ押さえ141を下方から水平状態に付勢する押さえスプリング142とを備える。
【００４３】
上記カップ押さえ141は、図９に示すように、スプリング142の付勢力により、カップ挿入口41内に挿入されたカップ20,21に弾性的に当接し、外径の異なるカップ20,21をカップ挿入口41内にがた無く保持するものである。
すなわち、図９に二点鎖線で示すような大径なカップ20の場合には、カップ押さえ141の自由端部がカップ20の外周に押されて、押さえスプリング142の付勢力に抗して斜め下方に回転する。
【００４４】
これに対し、図９に三点鎖線で示すような小径なカップ21の場合には、カップ押さえ141の自由端部が押さえスプリング142の付勢力によりほぼ水平に回転し、その自由端部の先端がカップ21の外周に触れることで、カップ挿入口41内中での小径なカップ21のがた付きを防止する。
（使用方法）
つぎに、上記した構成を備えたカップホルダー10の使用方法について説明する。
【００４５】
まず、図３に示すように、収納状態のホルダー本体40を使用するには、その前面の押しボタン71を押し込めば良い。
これにより、押しボタン71の後端部のロック片72が上昇し、ケース30の底壁のロック穴39から係脱する。
このため、突出ばね62の圧縮復元力により、図８に示すように、突出片61がケース30の奥側の後壁に向かって突出する。
【００４６】
このとき、スライダー80が、図８に示すように、ケース30の出入口31から少し飛び出す。
つぎに、スライダー80の飛び出した前部82を持ち、図１に示すように、手前に引き出す。
このとき、左右のホルダー半部90,100は、図１に示すように、コイルスプリング130の付勢力により、上方に向かって展開状態に開く。
【００４７】
その後、展開状態に開いた左右のホルダー半部90,100の間隔内に形成されるカップ挿入口41内に、カップ20,21を上方より挿入して使用する。
使用後、スライダー80をケース30内に押し込むと、左右のトレースピン53が、図７，６に示すように、左右のカム溝32の屈曲部分37に沿ってそれぞれ移動し、その際にカム片51が左右の回転軸52を中心に下方に向かって徐々に回転する。
【００４８】
このとき、左右のホルダー半部90,100は、コイルスプリング130の付勢力に抗して、カム片51により下方に向かって押圧される。
このため、左右のホルダー半部90,100は、図３に示すように、コイルスプリング130の付勢力に抗して、下方に向かって二つ折りに折畳まれたながらケース30内に収納される。
【００４９】
スライダー80を更に押し込むと、ロック片72が一旦引っ込んだ後、図示しないが、押しボタン71の内部のスプリングの作用により、ロック片72が再度、突出し、図４に示すように、ケース30の底壁のロック穴39にはまり込む。
このため、ホルダー本体40は、ケース30内に収納された状態でロックされる。
【００５０】
【発明の効果】
本発明は、以上のように構成されているので、以下に記載されるような効果を奏する。
（請求項１）
請求項１記載の発明によれば、次のような効果を奏する。
【００５１】
すなわち、請求項１記載の発明によれば、両ホルダー半部をそれぞれの各回転方向に等しい方向から押圧することで、ホルダー本体をケース内に押し込む際の力が比較的増加しないようにできる。
（請求項２）
請求項２記載の発明によれば、上記した請求項１記載の発明の効果に加え、次のような効果を奏する。
【００５２】
すなわち、請求項２記載の発明によれば、カム片をカム機能により回転させることで、ホルダー本体の押込力を一層、軽減でき、しかも両ホルダー半部を確実に折り畳むことができる。
（請求項３）
請求項３記載の発明によれば、上記した請求項１又は請求項２記載の発明の効果に加え、次のような効果を奏する。
【００５３】
すなわち、請求項３記載の発明によれば、ホルダー本体をケース内から突き出すようにすることで、ホルダー本体を引き出し易くすることができる。
（請求項４）
請求項４記載の発明によれば、上記した請求項１〜３記載のいずれか１項に記載の発明の効果に加え、次のような効果を奏する。
【００５４】
すなわち、請求項４記載の発明によれば、ホルダー本体をケース内にロックし、不用意にホルダー本体がケースの外部に突出しないようにすることができる。
（請求項５）
請求項５記載の発明によれば、上記した請求項１〜４のいずれか１項に記載の発明の効果に加え、次のような効果を奏する。
【００５５】
すなわち、請求項５記載の発明によれば、カップのがた付きを防止することができる。
【図面の簡単な説明】
【図１】カップホルダー（引出状態）の斜視図である。
【図２】カップホルダーの分解斜視である。
【図３】ケースを透過したカップホルダー（収納状態）の斜視である。
【図４】カップホルダー（収納状態）の縦断面である。
【図５】カップホルダー（収納状態）の横断面である。
【図６】両ホルダー半部を折り畳む際のカム片の動作を説明するための説明である。
【図７】両ホルダー半部が展開状態に開く際のカム片の動作を説明するための説明である。
【図８】突出装置によりホルダー本体がケースが突き出された状態を説明するカップホルダーの縦断面である。
【図９】カップホルダー（引出状態）の縦断面である。
【図１０】カップホルダー（引出状態）の平面図である。
【図１１】カップホルダー（引出状態）の正面図である。
【符号の説明】
10  カップホルダー      20  カップ
30  ケース              31  出入口
32  カム溝              33  ガイド溝
34  補助溝              35  スライド溝
36  直線部分            37  屈曲部分
38  貫通孔              39  ロック穴
40  ホルダー本体        41  カップ挿入口
50  折畳み装置          51  カム片
52  回転軸              53  トレースピン
60  突出装置            61  突出片
62  突出ばね            70  ロック装置
71  押しボタン          72  ロック片
80  スライダー          81  載置部
82  前部                83  中間部
84  後部                85  ガイドドピン
86  突出ピン            87  スライドピン
90  ホルダー半部        91  突軸
100  ホルダー半部       101  軸穴
110  カバー             120  軸ピン
130  コイルスプリング   140  カップ押さえ装置
141  押さえ片           142  押さえばね
【図１】
0003702049.tif 000002
【図２】
0003702049.tif 000003
【図３】
0003702049.tif 000004
【図４】
0003702049.tif 000005
【図５】
0003702049.tif 000006
【図６】
0003702049.tif 000007
【図７】
0003702049.tif 000008
【図８】
0003702049.tif 000009
【図９】
0003702049.tif 000010
【図１０】
0003702049.tif 000011
【図１１】
0003702049.tif 000012